(57)【要約】      （修正有）【課題】内部の棚構造を一定の範囲で複数の形態に変えることができ、現代型仏壇の飾り形態のバリエーションを拡大できる仏壇を提供する。【解決手段】天板１、底板２、左右一対の側板３ａ、背板４、左右一対の開閉可能な戸板５ａよりなる箱型の仏壇本体と、仏壇本体の内部にあって、本尊が載置される本尊棚８と、本尊棚の下部側にあって、位牌及び各種の仏具が載置され、手前側にスライド可能な仏具板１０とを備えてなる仏壇であって、本尊棚、仏具板の上部に任意に組み合わせて載置可能な所定の厚さの組み合わせ板７を設け、組み合わせ板を本尊棚の上部に載置して本尊棚の高さを高くすることにより、本尊の飾り位置を高くしたり、また組み合わせ板を仏具板の後部側上部に載置して、仏壇内の棚段数を増やすようにした。【選択図】図１７
0003226984.tif 000002
【実用新案登録請求の範囲】
【請求項１】
天板、底板、左右一対の側板、背板、左右一対の開閉可能な戸板よりなる箱型の仏壇本体と、該仏壇本体の内部にあって、本尊が載置される本尊棚と、該本尊棚の下部側にあって、位牌及び各種の仏具が載置される、手前側にスライド可能な仏具板とを備えてなる仏壇であって、上記本尊棚、仏具板の上部に任意に組み合わせて載置可能な所定の厚さの組み合わせ板を設け、同組み合わせ板を上記本尊棚の上部に載置して上記本尊棚の高さを高くすることにより、上記本尊の飾り位置を高くし、また同組み合わせ板を上記仏具板の後部側上部に載置して、仏壇内の棚段数を増やすようにしたことを特徴とする仏壇。
【請求項２】
天板、底板、左右一対の側板、背板、左右一対の開閉可能な戸板よりなる箱型の仏壇本体と、該仏壇本体の内部にあって、本尊が載置される本尊棚と、該本尊棚の下部側にあって、位牌が載置される位牌棚と、該位牌棚の下部側にあって、各種の仏具が載置される、手前側にスライド可能な仏具板とを備えてなる仏壇であって、上記本尊棚、位牌棚、仏具板の上部に任意に組み合わせて載置可能な所定の厚さの組み合わせ板を設け、同組み合わせ板を上記本尊棚の上部に載置して上記本尊棚の高さを高くすることにより、上記本尊の飾り位置を高くし、また同組み合わせ板を上記位牌棚の上部に載置して、上記位牌棚の位牌設置面積を拡大し、さらに同組み合わせ板を上記仏具板の後部側上部に載置して仏壇内の棚段数を増やすようにしたことを特徴とする仏壇。
【請求項３】
本尊棚の上部には、本尊棚と別体の任意に取り外し可能な台板構造の本尊台が設けられていることを特徴とする請求項１又は２記載の仏壇。
【考案の詳細な説明】
【技術分野】
【０００１】
本願考案は、組み合わせ板を備え、同組み合わせ板を本尊棚、位牌棚、仏具板に任意に組み合わせて設置することにより、本尊棚、位牌棚、仏具板部分の構成を変えることができるようにした仏壇の構造に関するものである。
【背景技術】
【０００２】
最近の仏壇市場では、住環境の変化に対応して取引される仏壇の形態も大きく変化し、小型コンパクトで、スタイリッシュな家具調の仏壇が主流となって来ている。いわゆるモダン仏壇と言われる現代型の仏壇がそれである。この種の仏壇では、仏壇内部の構造についても、これまでの伝統的な様式から彫刻や宮殿が排除され、インテリア性を重視したシンプルでスタイリッシュな構造が採用されている（特許文献１、特許文献２の構成を参照）。
【０００３】
その結果、このような現代型の仏壇の内部構造は、従来の伝統様式の須弥檀を簡略化した本尊棚、同じく従来の伝統様式の位牌檀を簡略化した位牌棚、同じく従来の伝統様式の膳引きを簡略化した仏具板等の仏壇としての最低限の機能を実現するに必要なシンプルな構造体で形成され、必要に応じて天板下面に照明手段、下部に引き出しを設けたものが一般的となっている。
【先行技術文献】
【特許文献】
【０００４】
【特許文献１】実用新案登録第３２０７８２０号公報
【特許文献２】実用新案登録第３２１０６５２号公報
【考案の概要】
【考案が解決しようとする課題】
【０００５】
以上のような構成の場合、小型コンパクトで、スタイリッシュであるためにインテリア性が高く、上置き型の場合、リビングや洋室のチェストの上にも置くことができる。また、マンションやフローリングの部屋にも違和感なくマッチする。したがって、外観的な優位性は高い。
【０００６】
しかし、いくら現代型の仏壇であると言っても、やはり仏壇は仏壇であり、少なくとも内部の構造には、一定の荘厳性が求められるし、日常時はともかく、法要時などには、より多くの仏具の設置が必要になる。しかるに、現在提供されている現代型の仏壇の場合、このような観点からの消費者の要求に十分に応えきれていない問題がある。
【０００７】
また、最近では現代型の仏壇の普及が進み、多くの家庭で使用されるようになっているが、実際に使用しているユーザーの意見として、価格を高くすることなく、もっと高級感や機能性の高さが欲しいという要望も多い。
【０００８】
この出願の考案は、このような課題を解決するためになされたもので、本尊棚、位牌棚、仏具板から独立した組み合わせ板を備え、同組み合わせ板を本尊棚、位牌棚、仏具板に任意に組み合わせて設置することにより、本尊棚、位牌棚、仏具板部分の構成を異なる形態に変えることができるようにした現代型の仏壇を提供することを目的とするものである。
【課題を解決するための手段】
【０００９】
この出願は、上述のような従来の課題を解決するために、次のような課題解決手段を備えて構成されている。
【００１０】
（１）請求項1の考案の課題解決手段
請求項1の考案の課題解決手段は、天板、底板、左右一対の側板、背板、左右一対の開閉可能な戸板よりなる箱型の仏壇本体と、該仏壇本体の内部にあって、本尊が載置される本尊棚と、該本尊棚の下部側にあって、位牌及び各種の仏具が載置される、手前側にスライド可能な仏具板とを備えてなる仏壇であって、上記本尊棚、仏具板の上部に任意に組み合わせて載置可能な所定の厚さの組み合わせ板を設け、同組み合わせ板を上記本尊棚の上部に載置して上記本尊棚の高さを高くすることにより、上記本尊の飾り位置を高くし、また同組み合わせ板を上記仏具板の後部側上部に載置して、仏壇内の棚段数を増やすようにしたことを特徴としている。
【００１１】
このような構成によると、本尊棚、仏具板の上部に任意に組み合わせることができる所定の厚さの組み合わせ板を設けるだけの簡単な構成で、極めて容易に本尊棚の高さを高くして、本尊の飾り位置を高くしたり、また仏具板部分の棚段数を増やして、仏具板の上段側部分に位牌棚を構成することができるようになる。
【００１２】
この結果、単一の仏壇でありながら、仏壇内部の本尊棚、仏具板部分の構造、飾り形態を複数の形態に変更することができる。そのため、日常のシンプルな飾り形態から、法要時などの豪華で荘厳性のある飾り形態、多くの位牌、多くの仏具を使用した飾り形態を自由に実現することができる。
【００１３】
これらの結果、単にシンプルでスタイリッシュなだけでなく、より実用性、機能性が高くなり、すでに一般的に普及し、市場で差別化しにくくなっている商品としての現代型仏壇に新たな特徴、商品価値を付加し、市場訴求力を向上させることが可能となる。
【００１４】
特に、この請求項１の課題解決手段の構成の場合、固定的な棚構成としては、本尊棚だけで足り、最初から専用の位牌棚を構成する必要がないので、より仏壇内部の構造がシンプルになり、仏壇本体の高さ、奥行き、幅を有効に小さくすることができる。そのため、より一層小型、コンパクトに構成することができ、価格も安価なものに構成することができる。
【００１５】
（２）請求項２の考案の課題解決手段
請求項２の考案の課題解決手段は、天板、底板、左右一対の側板、背板、左右一対の開閉可能な戸板よりなる箱型の仏壇本体と、該仏壇本体の内部にあって、本尊が載置される本尊棚と、該本尊棚の下部側にあって、位牌が載置される位牌棚と、該位牌棚の下部側にあって、各種の仏具が載置される、手前側にスライド可能な仏具板とを備えてなる仏壇であって、上記本尊棚、位牌棚、仏具板の上部に任意に組み合わせて載置可能な所定の厚さの組み合わせ板を設け、同組み合わせ板を上記本尊棚の上部に載置して上記本尊棚の高さを高くすることにより、上記本尊の飾り位置を高くし、また同組み合わせ板を上記位牌棚の上部に載置して、上記位牌棚の位牌設置面積を拡大し、さらに同組み合わせ板を上記仏具板の後部側上部に載置して仏壇内の棚段数を増やすようにしたことを特徴としている。
【００１６】
このような構成によると、本尊棚、位牌棚、仏具板の上部に任意に組み合わせることができる所定の厚さの組み合わせ板を設けるだけの極めて簡単な構成で、容易に本尊棚の高さを高くして本尊の飾り位置を高くしたり、また位牌棚上部の位牌設置面積を拡大したり、さらには仏壇内の棚段数を増やすことができるようになる。
【００１７】
その結果、単一の仏壇でありながら、仏壇内部の本尊棚、位牌棚、仏具板部分の構造、飾り形態を複数の形態に変更することができる。そのため、日常のシンプルな飾り形態から、法要時などの豪華で荘厳性のある飾り形態、また多くの位牌、多くの仏具を使用した飾り形態を自由に実現することができる。
【００１８】
これらの結果、単にシンプルでスタイリッシュなだけでなく、より実用性、機能性が高くなり、すでに一般的に普及し、市場で差別化しにくくなっている商品としての現代型仏壇に新たな特徴、商品価値を付加し、市場訴求力を向上させることが可能となる。
【００１９】
（３）請求項３の考案の課題解決手段
請求項３の考案の課題解決手段は、上記請求項１又は２の考案の課題解決手段において、本尊棚の上部には、本尊棚と別体の任意に取り外し可能な台板構造の本尊台が設けられていることを特徴としている。
【００２０】
一般に本尊棚の上部に本尊を載せる本尊台を設ける場合、当該本尊台は本尊棚の上部に一体に固定する形で設けられる。しかし、そのように構成したのでは、本尊棚の上部面に組み合わせ板を重ね、その上に本尊台を載せるということができず、本尊棚の高さを高くし、本尊の飾り位置を高くすることができない。
【００２１】
そこで、この請求項３の考案の課題解決手段の構成では、本尊棚の上部に本尊を載せる本尊台を有する仏壇の場合には、本尊台を独立した台板構造に形成し、本尊棚の上部から任意に取り外せるように構成して、本尊棚の上部に組み合わせ板を重ね合わせた後に本尊台を置き、その上に本尊を載置することができるようにしている。
【００２２】
このようにすると、本尊棚の上部に本尊を載せる本尊台を有する仏壇の場合にも、自由に組み合わせ板を用いて本尊棚の高さを高くすることができ、本尊の飾り位置を高くすることができる。
【考案の効果】
【００２３】
以上の結果、この出願の考案によると、現代型仏壇のような、全体としてコンパクト、かつ極めてシンプルな構造の仏壇の本尊、位牌、仏具等飾り形態のバリエーションを何ら本体構造に変形を加えることなく、大きく拡大することが可能となる。その結果、コンパクト、かつシンプルな現代型仏壇の商品価値を高めることができる。
【図面の簡単な説明】
【００２４】
【図１】組み合わせ板を本尊棚に組み合わせた組み合わせ形態における、この出願の考案の実施の形態１に係る仏壇本体の構成を示す戸板を閉じた状態の正面図である。
【図２】組み合わせ板を本尊棚に組み合わせた組み合わせ形態における、同実施の形態１に係る仏壇本体の構成を示す戸板を開いた状態の正面図である。
【図３】組み合わせ板を本尊棚に組み合わせた組み合わせ形態における、同実施の形態１に係る仏壇本体の構成を示す戸板を開いた状態の断面図（図２のＡ−Ａ）である。
【図４】同実施の形態１に係る仏壇本体内の本尊棚部分に設けられる本尊台の構成を示す斜視図である。
【図５】同実施の形態１に係る仏壇本体において、当該仏壇本体内の本尊棚、位牌棚、仏具板に任意に組み合わせて使用される組み合わせ板の構成を示す斜視図である。
【図６】組み合わせ板を本尊棚に組み合わせた組み合わせ形態における、同実施の形態１に係る仏壇本体の構成を示す戸板を閉じた状態の断面図（図１のＢ−Ｂ）である。
【図７】組み合わせ板を本尊棚に組み合わせた組み合わせ形態における、同実施の形態１に係る仏壇本体の構成を示す戸板を閉じた状態の断面図（図１のＣ−Ｃ）である。
【図８】組み合わせ板を本尊棚に組み合わせた組み合わせ形態における、同実施の形態１に係る仏壇本体の構成を示す、図３の状態から仏具板を手前側に引き出した状態の断面図（図２のＡ−Ａに対応）である。
【図９】組み合わせ板を本尊棚に組み合わせた組み合わせ形態における、同実施の形態１に係る仏壇本体の構成を示す、図６の状態から仏具板を手前側に引き出した状態の断面図である。
【図１０】組み合わせ板を仏具板に組み合わせた組み合わせ形態における、同実施の形態１に係る仏壇本体の構成を示す図３に対応した断面図である。
【図１１】組み合わせ板を仏具板に組み合わせた組み合わせ形態における、同実施の形態１に係る仏壇本体の構成を示す図８の状態に対応した断面図である。
【図１２】組み合わせ板を仏具板に組み合わせた組み合わせ形態における、同実施の形態１に係る仏壇本体の構成を示す図９の状態に対応した断面図である。
【図１３】組み合わせ板を位牌棚に組み合わせた組み合わせ形態における、同実施の形態１に係る仏壇本体の構成を示す図３の状態に対応した断面図である。
【図１４】組み合わせ板を本尊棚に組み合わせた組み合わせ形態における、この出願の考案の実施の形態２に係る仏壇本体の構成を示す戸板を開いた状態の正面図である。
【図１５】組み合わせ板を本尊棚に組み合わせた組み合わせ形態における、同実施の形態２に係る仏壇本体の構成を示す断面図（図１４のＤ−Ｄ）である。
【図１６】組み合わせ板を仏具板に組み合わせた組み合わせ形態における、同実施の形態２に係る仏壇本体の構成を示す断面図（図１４のＤ−Ｄに対応）である。
【図１７】組み合わせ板を仏具板に組み合わせた組み合わせ形態における、同実施の形態２に係る仏壇本体の構成を示す仏具板を手前側に引き出した状態の断面図（図１４のＤ−Ｄに対応）である。
【図１８】組み合わせ板を仏具板に組み合わせた組み合わせ形態における、同実施の形態２に係る仏壇本体の構成を示す断面図（図１７のＥ−Ｅ）である。
【考案を実施するための形態】
【００２５】
以下、この出願の考案に係る仏壇を実施するための幾つかの具体的な形態について、詳細に説明する。
【００２６】
（１）実施の形態１
まず図１〜図１３は、この出願の考案の実施の形態１に係る仏壇本体の全体および各部の具体的な構成を示している。この出願の考案の実施の形態１に係る仏壇は、一例として、一般にモダン仏壇と呼ばれる、従来の伝統様式におけるような彫刻や宮殿が無く、小型コンパクトで、リビングや洋室のチェストなどの上に載置することができるインテリア性の高い、スタイリッシュなデザインの上置き型のものが採用されている。
【００２７】
まず図１〜図１３中において、１は天板（上台輪）、２は底板（下台輪）、３ａ，３ｂは左右一対の側板、４は背板、５ａ，５ｂは開閉可能な左右一対の戸板（扉）、６は本尊台、７は組み合わせ板、８は本尊棚、９は位牌棚、１０は仏具板（膳引き）、１１は引き出し、１２は照明器具、１３は前桟をそれぞれ示している。
【００２８】
この実施の形態における仏壇本体は、上記天板１、底板２、左右一対の側板３ａ，３ｂ、背板４、左右一対の戸板５ａ，５ｂにより、高さ、奥行き、幅寸法が小さくてコンパクトな箱型の構造に形成され、その中の略中間位置より下部部分に、本尊台６、組み合わせ板７、本尊棚（須弥檀）８、位牌棚（位牌檀）９、仏具板１０、引き出し１１を順次上方から下方に積層する形で配設している。
【００２９】
なお、従来様式の仏壇では、一般に仏壇内部の複数の段部分全体を指して須弥檀と総称する場合もあるが、この実施の形態では、後述するように、組み合わせ板７との関係で、仏壇内部の構成形態が適宜規定されるので、基本となる各部には予め主たる用途を基準として、上述のように固有の名称を付している。
【００３０】
照明器具１２は、照明器具本体１２ａとＬＥＤ電球１２ｂとからなり、上記天板１の下面部後方（本尊台６の上方）に設けられている。そして、下方の本尊を上方から照明するダウンライトとして機能する。左右一対の戸板５ａ，５ｂは、それぞれ２枚の戸板部材を蝶番で折りたたみ可能に連結して構成されており、それぞれの左右両端側上下が蝶番１７，１７，１７，１７を介して、上記左右一対の側板３ａ，３ｂに連結されている。そして、それにより観音開き構造の前扉を構成している。
【００３１】
この実施の形態の場合、上記本尊台６及び組み合わせ板７は、例えば図６及び図７に示すように、それぞれ本尊棚８部分から分離可能な独立した台板構造となっており、図２〜図９に示す第１の組み合わせ形態では、最上段の本尊棚８の上部に組み合わせ板７を載置し、さらに同組み合わせ板７の上部に本尊台６を載置した構成となっている。
【００３２】
この場合、同組み合わせ板７の板厚は、段々構造の本尊棚８の上部段部分（各段）の板厚の３倍程度に厚く形成されており、本尊棚８の上部に重ね合わされた時には、例えば図２及び図３から明らかなように、一体構造に見える形で上下幅の広い本尊棚８の最上段部を構成するようになっている。また、その前後方向の幅も、上記段々構造の本尊棚８の最上部段部分の前後方向の幅よりも少し大きく形成され、上記段々構造の最上段部を構成するようになっている。これにより、本尊棚８の段部が１段増え、かつ本尊棚８の高さが高くなる。
【００３３】
このように、板厚が厚く、本尊棚８を構成する段々部の各段の段部よりも上下幅が３倍程度に広い組み合わせ板７を本尊棚８の上部に重ね合わせ、同組み合わせ板７が本尊棚８の最上段部を構成するように組み合わせると、上記本尊棚８の棚部（段々部）の高さが当該組み合わせ板７の板厚分だけ高くなり、その上部に載置される本尊台６の高さも当該組み合わせ板７の板厚分だけ高くなる。その結果、本尊台６を組み合わせ板７を介することなく、本尊棚８段々部の最上面に直接設置する場合に比べて、より高い位置に設置することができ、本尊台６の上部に置かれる本尊（図示省略）の高さも高くすることができる。また、同状態では、本尊棚８の最上段部が板厚の厚い組み合わせ板７で形成されることから、本尊棚８の重厚さが増し、かつ段数も増えることから、本尊棚８の部分の荘厳性が向上する。
【００３４】
この状態では、例えば図２、図３、図６から明らかなように、仏壇本体内部の飾り棚部分が本尊棚８、位牌棚９、仏具板１０のそれぞれの存在感が明確な３段構造となり、さらに図８及び図９に示すように、同状態から、仏具板１０を手前側に引き出すと、全体として小型コンパクトな現代型仏壇でありながら、十分に広い仏具設置空間を実現することができる。
【００３５】
そして、同状態において、上記本尊棚８（組み合わせ板７）の上部中央に本尊台を置き、同本尊台６の上に本尊（仏像）、その左右に脇仏（掛け軸）、位牌棚８上に位牌、仏具板１０上に６〜５具足の仏具を飾るが、その場合において、上記本尊棚８（本尊台６）上の本尊が十分に高い位置に位置することになり、同状態において、本尊（仏像）部分には上方から上記照明器具（ダウンライト）１２の光が照射されるので、位牌や具足等の陰になることなく、十分に立体感のある状態で飾ることができる。
【００３６】
この場合、さらに本尊台６の板厚を大きくすることも考えられるが、本尊台６の板厚を大きくするのは余り好ましくないので、その点でも組み合わせ板７を使うことが有効である。
【００３７】
一方、上記組み合わせ板７は、上記本尊棚８の上部から取り外して、さらに図１０〜図１２に示すように、上記仏具板１０の後部上面上に配置することもできる（第２の組み合わせ形態）。この場合、上記組み合わせ板７の前後方向の幅は、上記仏具板１０の引き出し幅部分の前後方向の寸法の１／２より少し小さい寸法に形成されている。したがって、このように、上記組み合わせ板７を上記本尊棚８の上部から取り外して、仏具板１０の後部上面に配置すると、例えば図１１及び図１２に示すように、仏具板１０の後部に上記比較的板厚の大きな組み合わせ板７による新たな棚部が形成され、仏具板１０を手前側に引き出した状態において、仏具板１０の前部側上面部を含めて合計４段の棚部が形成されることになる。
【００３８】
この結果、同構成例によれば、例えば上記３段目の組み合わせ板７の上部面を茶湯器、仏飯器の飾棚として利用することができる。上述した図２、図３、図６及び図８、図９の構成（本尊棚８との組み合わせ）の場合だと、本尊の位置を有効に高くすることができ、本尊部分の立体感を有効に実現することができるが、他方、須弥段部分が２段しかないため、茶湯器などは本尊の足元に置かなければならず、不便である。同構成によれば、このような不便を確実に解消することができる。また、全体として４段構造になるので、３段構造の場合に比べて、仏壇自体の豪華さ、高級感も向上する。
【００３９】
もちろん、その分、仏具板１０部分の具足載置面の面積が制約されるが、それは具足の大きさ、数をセーブすることで問題なく対応することができる。
【００４０】
なお、このように仏具板１０上の後部に組み合わせ板７を設置するに際しては、組み合わせ板７の後端を上記位牌棚９の段々部下端の３段部分の隙間部分に嵌合させる形で設置される。このようにすると、前後方向の位置決めが可能になると同時に、設置後の上下方向のガタツキを解消することができる。また、設置状態が安定する。
【００４１】
さらに、以上の構成において、上記組み合わせ板７は、例えば図１３に示すように、上記第２の組み合わせ形態と同様の方法で、上記位牌棚９の上部に載置することも可能である。この場合にも、その後端側を本尊棚８の段部下端の２段部分の隙間部分に嵌合させる形で安定した状態に設置される。この場合、上記組み合わせ板７の前後方向の幅は、上記位牌棚９の本尊棚８段々部下端部より前に延びる位牌設置面の幅よりも所定幅大きく形成されている。
【００４２】
したがって、このように上記組み合わせ板７を上記位牌棚９の上部に載置すると、上記第１、第２の構成例の場合に比べて、位牌棚９の上部面の位牌設置面積が広くなり、複数の位牌を設置する場合に便利になる。
【００４３】
以上のように、本実施の形態では、本尊棚８の上部に設けられる本尊台６を本尊棚８とは別体の任意に分離可能な台板構造とする一方、本尊棚８、仏具板１０、位牌棚９等の上部に任意に組み合わせて載置可能な組み合わせ板７を設け、同組み合わせ板７を本尊棚８の上部に載置して本尊棚８の高さを高くすることにより、本尊の飾り位置を高くし、また同組み合わせ板７を仏具板１０の後部側上部に載置して、仏壇内の棚段数を増やし、さらには、同組み合わせ板７を位牌棚９の上部に載置して、位牌棚９上部の位牌設置面積を拡大するようになっている。
【００４４】
したがって、単に本尊台６を独立した台板構造にすることと、本尊棚８、仏具板１０、位牌棚９等の上部に任意に組み合わせることができる組み合わせ板７を設けるだけの極めて簡単な構成で、極めて容易に本尊台６を介した本尊の飾り位置を高くしたり、仏壇内の棚段数を増やしたり、また位牌棚９上部の位牌設置面積を拡大することができるようになる。
【００４５】
その結果、現代型仏壇のような、全体としてコンパクト、かつ極めてシンプルな構造の仏壇の本尊、位牌、仏具等飾り形態のバリエーションを何ら本体構造に変形を加えることなく拡大することが可能となる。また、製造コストを上げることなく、商品機能向上させることができる。
【００４６】
（２）実施の形態２
次に図１４〜図１８は、この出願の考案の実施の形態２に係る仏壇本体の全体および各部の具体的な構成を示している。
【００４７】
この出願の考案の実施の形態２に係る仏壇も、一例として、一般にモダン仏壇と呼ばれる、従来の伝統様式におけるような彫刻や宮殿が無く、小型コンパクトで、リビングや洋室のチェストなどの上に載置することができるインテリア性の高い、スタイリッシュなデザインの上置き型のものが採用されている。
【００４８】
まず図１４〜図１８中において、１は天板（上台輪）、２は底板（下台輪）、３ａ，３ｂは左右一対の側板、４は背板、５ａ，５ｂは開閉可能な左右一対の戸板（観音開き状の扉）、６は本尊台、７は組み合わせ板、８は本尊棚、１０は仏具板（膳引き）、１１は引き出し、１２は照明器具、１３は前桟をそれぞれ示している。
【００４９】
この実施の形態における仏壇本体は、上記天板１、底板２、左右一対の側板３ａ，３ｂ、背板４、左右一対の戸板５ａ，５ｂにより、高さ、奥行き、幅寸法が小さくてコンパクトな箱型の構造に形成され、その中の略中間位置より下部部分に、本尊台６、組み合わせ板７、本尊棚（須弥檀）８、仏具板１０、引き出し１１を順次上方から下方に積層する形で配設している。
【００５０】
しかし、この実施の形態の場合、上記実施の形態１のような専用の（固定構造の）位牌棚９は設けられておらず、須弥檀構造（段々構造）の棚部は、上記実施の形態１と同様の構造の本尊棚８だけで構成されている。そして、これに仏具板１０が組み合わされた構成が基本構造となっている（図１４及び図１５参照）。
【００５１】
したがって、実施の形態１の位牌棚９が無い分だけ、実施の形態１の仏壇本体より上下方向の高さ、奥行き寸法を小さくすることができ、それに合わせて左右方向の幅も小さくすることができ、より小型、コンパクトなものとなっている。
【００５２】
この実施の形態２の場合にも、上記本尊台６及び組み合わせ板７は、例えば図６及び図７に示すように、それぞれ本尊棚８部分から分離可能な独立した台板構造となっており、図１４及び図１５に示す第１の組み合わせ形態では、最上段の本尊棚８の上部に組み合わせ板７を載置し、さらに同組み合わせ板７の上部に本尊台６を載置する構成となっている。
【００５３】
この場合にも、同組み合わせ板７の板厚は、段々構造の本尊棚８の上部段部分の板厚の３倍程度に厚く形成されており、本尊棚８の上部に重ね合わされた時には、例えば図１４及び図１５から明らかなように、一体構造に見える形で上下幅の広い本尊棚８の最上段部を構成するようになっている。また、その前後方向の幅も、上記段々構造の本尊棚８の最上部段部分の前後方向の幅よりも少し大きく形成され、上記段々構造の最上段部を構成するようになっている。これにより、本尊棚８の段部が１段増え、かつ本尊棚８の高さが高くなる。
【００５４】
このように、板厚が厚く、本尊棚８を構成する段々部の段部よりも上下幅が３倍程度に広い組み合わせ板７を本尊棚８の上部に重ね合わせ、同組み合わせ板７が本尊棚８の最上段部を構成するように組み合わせると、上記本尊棚８の棚部（段々部）の高さが当該組み合わせ板７の板厚分だけ高くなり、その上部に載置される本尊台６の高さも当該組み合わせ板７の板厚分だけ高くなる。その結果、本尊台６を組み合わせ板７を介することなく、本尊棚８段々部の最上面に設置する場合に比べて、より高い位置に設置することができ、本尊台６の上部に置かれる本尊（図示省略）の高さも高くすることができる。また、同状態では、本尊棚８の最上段部が板厚の厚い組み合わせ板７で形成されることから、本尊棚８の重厚さが増し、かつ段数も増えることから、本尊棚８の部分の荘厳性が向上する。
【００５５】
一方、上記組み合わせ板７は、上記本尊棚８の上部から取り外して、さらに図１６〜図１８に示すように、上記仏具板１０の後部上面上に配置することもできる（第２の組み合わせ形態）。この場合、上記組み合わせ板７の前後方向の幅は、上記仏具板１０の引き出し幅部分の前後方向の寸法の１／２より少し小さい程度の寸法に形成されている。したがって、上記組み合わせ板７を上記本尊棚８の上部から取り外して、仏具板１０の後部上面に配置すると、例えば図１７及び図１８に示すように、仏具板１０を手前側に引き出した状態において、仏具板１０の後部に上記板厚の大きな組み合わせ板７による新たな棚部が形成され、仏具板１０の前部側上面部を含めて合計３段の棚部が形成されることになる。そして、この板厚の大きな組み合わせ板７による新たな棚部（２段目の棚部）を位牌棚として利用することができる。
【００５６】
この結果、同第２の組み合わせ形態によれば、日常時は、上記第１の組み合わせ形態（図１４及び図１５）により、位牌を仏具板の後部上面に置いて使用する一方、法要時などには、第２の組合せ形態により、組み合わせ板７による新たな棚部を位牌棚として利用することができる。
【符号の説明】
【００５７】
１は天板（上台輪）、２は底板（下台輪）、３ａ，３ｂは左右一対の側板、４は背板、５ａ，５ｂは開閉可能な左右一対の戸板（扉）、６は本尊台、７は組み合わせ板、８は本尊棚、９は位牌棚、１０は仏具板（膳引き）、１１は引き出し、１２は照明器具、１３は前桟である。
【図１】
0003226984.tif 000003
【図２】
0003226984.tif 000004
【図３】
0003226984.tif 000005
【図４】
0003226984.tif 000006
【図５】
0003226984.tif 000007
【図６】
0003226984.tif 000008
【図７】
0003226984.tif 000009
【図８】
0003226984.tif 000010
【図９】
0003226984.tif 000011
【図１０】
0003226984.tif 000012
【図１１】
0003226984.tif 000013
【図１２】
0003226984.tif 000014
【図１３】
0003226984.tif 000015
【図１４】
0003226984.tif 000016
【図１５】
0003226984.tif 000017
【図１６】
0003226984.tif 000018
【図１７】
0003226984.tif 000019
【図１８】
0003226984.tif 000020